(57)【要約】【課題】  状態の変化を外部から視覚的に認識可能として使い勝手の向上を図る。【解決手段】  切り込みを有する表面層と前記切り込みを有していない裏面層とを含む複数の層が積層されて形成された形状変化部を含むヘッドバンドと、前記形状変化部に前記裏面層側から取り付けられるスピーカーユニットとを備え、前記形状変化部が前記スピーカーユニットに押圧されたときに前記形状変化部が前    記表面層側へ突出されて前記切り込みが開放されるようにした。  これにより、形状変化部の形状の変化によって、状態の変化を外部から視覚的に認識可能として使い勝手の向上を図ることができる。【選択図】        図７
2013247572.tif 000002
【特許請求の範囲】
【請求項１】
切り込みを有する表面層と前記切り込みを有していない裏面層とを含む複数の層が積層されて形成された形状変化部を含むヘッドバンドと、
前記形状変化部に前記裏面層側から取り付けられるスピーカーユニットとを備え、
前記形状変化部が前記スピーカーユニットに押圧されたときに前記形状変化部が前記表面層側へ突出されて前記切り込みが開放されるようにした
ヘッドホーン装置。
【請求項２】
前記ヘッドバンドに前記形状変化部を外周側から保持する保持部が設けられた
請求項１に記載のヘッドホーン装置。
【請求項３】
前記スピーカーユニットが前記ヘッドバンドに着脱可能とされた
請求項１に記載のヘッドホーン装置。
【請求項４】
前記形状変化部が弾性変形可能とされた
請求項１に記載のヘッドホーン装置。
【請求項５】
開放された前記切り込みから前記裏面層の一部が視認可能とされた
請求項１に記載のヘッドホーン装置。
【請求項６】
前記形状変化部における前記表面層と前記表面層以外の他の層とに異なる着色が付された
請求項１に記載のヘッドホーン装置。
【請求項７】
前記形状変化部に、前記表面層と前記裏面層の間に中間層が設けられた
請求項６に記載のヘッドホーン装置。
【請求項８】
前記切り込みが格子状に形成された
請求項１に記載のヘッドホーン装置。
【請求項９】
前記表面層の弾性が前記裏面層の弾性より小さくされた
請求項１に記載のヘッドホーン装置。
【請求項１０】
切り込みを有する表面層と前記切り込みを有していない裏面層とを含む複数の層が積層されて形成された形状変化部を備え、
前記形状変化部が押圧されたときに前記形状変化部が前記表面層側へ突出されて前記切り込みが開放されるようにした
積層構造体。
【請求項１１】
前記形状変化部を外周側から保持する保持部が設けられた
請求項１０に記載の積層構造体。
【請求項１２】
前記形状変化部が弾性変形可能とされた
請求項１０に記載の積層構造体。
【請求項１３】
開放された前記切り込みから前記裏面層の一部が視認可能とされた
請求項１０に記載の積層構造体。
【請求項１４】
前記形状変化部における前記表面層と前記表面層以外の他の層とに異なる着色が付された
請求項１０に記載の積層構造体。
【請求項１５】
前記形状変化部に、前記表面層と前記裏面層の間に中間層が設けられた
請求項１４に記載の積層構造体。
【請求項１６】
前記切り込みが格子状に形成された
請求項１０に記載の積層構造体。
【請求項１７】
前記表面層の弾性が前記裏面層の弾性より小さくされた
請求項１０に記載の積層構造体。
【発明の詳細な説明】
【技術分野】
【０００１】
本技術はヘッドホーン装置及び積層構造体についての技術分野に関する。詳しくは、切り込みが形成された形状変化部を設け形状変化部に対する押圧状態によって切り込みが開閉されるようにし状態の変化を外部から視覚的に認識可能として使い勝手の向上を図る技術分野に関する。
【背景技術】
【０００２】
各種の電子機器においては、電源の投入時に使用者の操作や状態に応じて各種の動作が行われ、また、使用状態に応じて形態が変化されるものもある。また、各種の構造体においては、使用状態や用途に応じて形態が変化されるものがある。
【０００３】
例えば、電子機器として機能すると共に構造体としても用いられるヘッドホーン装置がある（例えば、特許文献１参照）。
【０００４】
このようなヘッドホーン装置にあっては、例えば、太陽光の照射により変色され、太陽光が照射されていることを周知することが可能とされる。
【０００５】
また、例えば、構造体として用いられる各種のケース、例えば、イヤホーンケースにあっては、内部にイヤホーンを収納して携帯することにより、携帯時におけるコードの断線の防止等を図ることが可能である。
【０００６】
【特許文献１】特開平１０−２７１５９１号公報
【発明の開示】
【発明が解決しようとする課題】
【０００７】
ところで、上記のような構成のヘッドホーン装置にあっては、使用者がヘッドホーン装置を確実に装着していることを周知する構成にはされていない。
【０００８】
一方、上記したイヤホーンケースの例において、外部からイヤホーンケースの内部が確認できないタイプの場合には、イヤホーンが内部に収納されているかを確認するために、一旦、イヤホーンケースを開く必要があり、使い勝手が悪いと言う不具合がある。
【０００９】
そこで、外部からイヤホーンケースの内部を確認することが可能なようにするためには、イヤホーンケースの少なくとも一部を透明又は半透明の樹脂やガラスによって形成することが考えられる。
【００１０】
しかしながら、このような樹脂やガラスを用いると衝撃が付与されたり落下したときに、破損や傷付きが発生し易いくなり、使い勝手を損ねてしまう。
【００１１】
そこで、本技術ヘッドホーン装置及び積層構造体は、上記した問題点を克服し、状態の変化を外部から視覚的に認識可能として使い勝手の向上を図ることを課題とする。
【課題を解決するための手段】
【００１２】
第１に、ヘッドホーン装置は、上記した課題を解決するために、切り込みを有する表面層と前記切り込みを有していない裏面層とを含む複数の層が積層されて形成された形状変化部を含むヘッドバンドと、前記形状変化部に前記裏面層側から取り付けられるスピーカーユニットとを備え、前記形状変化部が前記スピーカーユニットに押圧されたときに前記形状変化部が前記表面層側へ突出されて前記切り込みが開放されるようにしたものである。
【００１３】
従って、ヘッドホーン装置にあっては、スピーカーユニットがヘッドバンドに取り付けられたときに切り込みが開放されて状態の変化が外部から視覚的に認識される。
【００１４】
第２に、上記したヘッドホーン装置においては、前記ヘッドバンドに前記形状変化部を外周側から保持する保持部が設けられることが望ましい。
【００１５】
ヘッドバンドに形状変化部を外周側から保持する保持部が設けられることにより、形状変化部の外周部の変位が規制される。
【００１６】
第３に、上記したヘッドホーン装置においては、前記スピーカーユニットが前記ヘッドバンドに着脱可能とされることが望ましい。
【００１７】
スピーカーユニットがヘッドバンドに着脱可能とされることにより、スピーカーユニットのヘッドバンドに対する着脱状態に応じて形状変化部が変化される。
【００１８】
第４に、上記したヘッドホーン装置においては、前記形状変化部が弾性変形可能とされることが望ましい。
【００１９】
形状変化部が弾性変形可能とされることにより、形状変化部が変化されるときに弾性変形される。
【００２０】
第５に、上記したヘッドホーン装置においては、開放された前記切り込みから前記裏面層の一部が視認可能とされることが望ましい。
【００２１】
開放された切り込みから裏面層の一部が視認可能とされることにより、形状変化部が押圧されたときに切り込みから裏面層の一部が視認される。
【００２２】
第６に、上記したヘッドホーン装置においては、前記形状変化部における前記表面層と前記表面層以外の他の層とに異なる着色が付されることが望ましい。
【００２３】
形状変化部における表面層と表面層以外の他の層とに異なる着色が付されることにより、形状変化部における内側の層である他の層の着色が外部から明確に視認される。
【００２４】
第７に、上記したヘッドホーン装置においては、前記形状変化部に、前記表面層と前記裏面層の間に中間層が設けられることが望ましい。
【００２５】
形状変化部に、表面層と裏面層の間に中間層が設けられることにより、切り込みが開放されたときの形状変化部の形状の変化が大きくなる。
【００２６】
第８に、上記したヘッドホーン装置においては、前記切り込みが格子状に形成されることが望ましい。
【００２７】
切り込みが格子状に形成されることにより、ヘッドバンドにスピーカーユニットが取り付けられたときの切り込みの開放量が大きくなる。
【００２８】
第９に、上記したヘッドホーン装置においては、前記表面層の弾性が前記裏面層の弾性より小さくされることが望ましい。
【００２９】
表面層の弾性が裏面層の弾性より小さくされることにより、形状変化部に裏面層側から押圧力が作用されたときに表面層が弾性変形され難く、切り込みの開放量が大きくなる。
【００３０】
第１に、積層構造体は、上記した課題を解決するために、切り込みを有する表面層と前記切り込みを有していない裏面層とを含む複数の層が積層されて形成された形状変化部を備え、前記形状変化部が押圧されたときに前記形状変化部が前記表面層側へ突出されて前記切り込みが開放されるようにしたものである。
【００３１】
従って、積層構造体にあっては、形状変化部に裏面層側から押圧力が作用されたときに切り込みが開放されて状態の変化が外部から視覚的に認識される。
【００３２】
第２に、上記した積層構造体においては、前記形状変化部を外周側から保持する保持部が設けられることが望ましい。
【００３３】
形状変化部を外周側から保持する保持部が設けられることにより、形状変化部の外周部の変位が規制される。
【００３４】
第３に、上記した積層構造体においては、前記形状変化部が弾性変形可能とされることが望ましい。
【００３５】
形状変化部が弾性変形可能とされることにより、形状変化部が変化されるときに弾性変形される。
【００３６】
第４に、上記した積層構造体においては、開放された前記切り込みから前記裏面層の一部が視認可能とされることが望ましい。
【００３７】
開放された切り込みから裏面層の一部が視認可能とされることにより、形状変化部が押圧されたときに切り込みから裏面層の一部が視認される。
【００３８】
第５に、上記した積層構造体においては、前記形状変化部における前記表面層と前記表面層以外の他の層とに異なる着色が付されることが望ましい。
【００３９】
形状変化部における表面層と表面層以外の他の層とに異なる着色が付されることにより、形状変化部における内側の層である他の層の着色が外部から明確に視認される。
【００４０】
第６に、上記した積層構造体においては、前記形状変化部に、前記表面層と前記裏面層の間に中間層が設けられることが望ましい。
【００４１】
形状変化部に、表面層と裏面層の間に中間層が設けられることにより、切り込みが開放されたときの形状変化部の形状の変化が大きくなる。
【００４２】
第７に、上記した積層構造体においては、前記切り込みが格子状に形成されることが望ましい。
【００４３】
切り込みが格子状に形成されることにより、形状変化部に裏面層側から押圧力が作用されたときの切り込みの開放量が大きくなる。
【００４４】
第８に、上記した積層構造体においては、前記表面層の弾性が前記裏面層の弾性より小さくされることが望ましい。
【００４５】
表面層の弾性が裏面層の弾性より小さくされることにより、形状変化部に裏面層側から押圧力が作用されたときに表面層が弾性変形され難く、切り込みの開放量が大きくなる。
【発明の効果】
【００４６】
本技術ヘッドホーン装置は、切り込みを有する表面層と前記切り込みを有していない裏面層とを含む複数の層が積層されて形成された形状変化部を含むヘッドバンドと、前記形状変化部に前記裏面層側から取り付けられるスピーカーユニットとを備え、前記形状変化部が前記スピーカーユニットに押圧されたときに前記形状変化部が前記表面層側へ突出されて前記切り込みが開放されるようにしている。
【００４７】
従って、ヘッドバンドにスピーカーユニットが取り付けられることにより、使用者において、切り込みが模様として視認可能とされ、ヘッドバンドにスピーカーユニットが取り付けられたことを外部から視覚的に認識することができ、使い勝手の向上を図ることができる。
【００４８】
請求項２に記載した技術にあっては、前記ヘッドバンドに前記形状変化部を外周側から保持する保持部が設けられている。
【００４９】
従って、形状変化部の外周部の変位が規制され、形状変化部を適正な状態で変化させることができる。
【００５０】
請求項３に記載した技術にあっては、前記スピーカーユニットが前記ヘッドバンドに着脱可能とされている。
【００５１】
従って、スピーカーユニットのヘッドバンドに対する着脱状態に応じて形状変化部が変化され、スピーカーユニットのヘッドバンドに対する着脱状態を形状変化部の状態によって確実に認識することができる。
【００５２】
請求項４に記載した技術にあっては、前記形状変化部が弾性変形可能とされている。
【００５３】
従って、形状変化部が変化されるときに弾性変形され、形状変化部に対する押圧が解除されたときに形状変化部を元の状態に戻すことができる。
【００５４】
請求項５に記載した技術にあっては、開放された前記切り込みから前記裏面層の一部が視認可能とされている。
【００５５】
従って、形状変化部が押圧されたときに切り込みから裏面層の一部が視認され、
形状変化部の変化を容易に認識することができる。
【００５６】
請求項６に記載した技術にあっては、前記形状変化部における前記表面層と前記表面層以外の他の層とに異なる着色が付されている。
【００５７】
従って、形状変化部における内側の層の着色を外部から明確に視認することができ、ヘッドバンドにスピーカーユニットが取り付けられたことを明確に認識することができる。
【００５８】
請求項７に記載した技術にあっては、前記形状変化部に、前記表面層と前記裏面層の間に中間層が設けられている。
【００５９】
従って、切り込みが開放されたときの形状変化部の形状の変化が大きく、かつ、表面層と裏面層の着色の変化も明確になり、形状変化部に関する外部からの視認性の向上を図ることができる。
【００６０】
請求項８に記載した技術にあっては、前記切り込みが格子状に形成されている。
【００６１】
従って、ヘッドバンドにスピーカーユニットが取り付けられたときの切り込みの開放量が大きく、形状変化部に関する外部からの一層の視認性の向上を図ることができる。
【００６２】
請求項９に記載した技術にあっては、前記表面層の弾性が前記裏面層の弾性より小さくされている。
【００６３】
従って、形状変化部に裏面層側から押圧力が作用されたときに表面層が弾性変形され難く、切り込みの開放量が大きくなり、形状変化部の内側の構造が見え易く外部からの視認性の向上を図ることができる。
【００６４】
本技術積層構造体は、切り込みを有する表面層と前記切り込みを有していない裏面層とを含む複数の層が積層されて形成された形状変化部を備え、前記形状変化部が押圧されたときに前記形状変化部が前記表面層側へ突出されて前記切り込みが開放されるようにしている。
【００６５】
従って、形状変化部に裏面層側から押圧力が作用されたときに、使用者において、切り込みが模様として視認可能とされ、状態の変化を外部から視覚的に認識することができ、使い勝手の向上を図ることができる。
【００６６】
請求項１１に記載した技術にあっては、前記形状変化部を外周側から保持する保持部が設けられている。
【００６７】
従って、形状変化部の外周部の変位が規制され、形状変化部を適正な状態で変化させることができる。
【００６８】
請求項１２に記載した技術にあっては、前記形状変化部が弾性変形可能とされている。
【００６９】
従って、形状変化部が変化されるときに弾性変形され、形状変化部に対する押圧が解除されたときに形状変化部を元の状態に戻すことができる。
【００７０】
請求項１３に記載した技術にあっては、開放された前記切り込みから前記裏面層の一部が視認可能とされている。
【００７１】
従って、形状変化部が押圧されたときに切り込みから裏面層の一部が視認され、
形状変化部の変化を容易に認識することができる。
【００７２】
請求項１４に記載した技術にあっては、前記形状変化部における前記表面層と前記表面層以外の他の層とに異なる着色が付されている。
【００７３】
従って、形状変化部における内側の層の着色を外部から明確に視認することができ、状態の変化を明確に認識することができる。
【００７４】
請求項１５に記載した技術にあっては、前記形状変化部に、前記表面層と前記裏面層の間に中間層が設けられている。
【００７５】
従って、切り込みが開放されたときの形状変化部の形状の変化が大きく、かつ、表面層と裏面層の着色の変化も明確になり、形状変化部に関する外部からの視認性の向上を図ることができる。
【００７６】
請求項１６に記載した技術にあっては、前記切り込みが格子状に形成されている。
【００７７】
従って、形状変化部に裏面層側から押圧力が作用されたときの切り込みの開放量が大きく、形状変化部に関する外部からの一層の視認性の向上を図ることができる。
【００７８】
請求項１７に記載した技術にあっては、前記表面層の弾性が前記裏面層の弾性より小さくされている。
【００７９】
従って、形状変化部に裏面層側から押圧力が作用されたときに表面層が弾性変形され難く、切り込みの開放量が大きくなり、形状変化部の内側の構造が見え易く外部からの視認性の向上を図ることができる。
【発明を実施するための最良の形態】
【００８０】
以下に、本技術ヘッドホーン装置及び積層構造体を実施するための最良の形態を添付図面に従って説明する。
【００８１】
［ヘッドホーン装置の構成］
先ず、ヘッドホーン装置の構成について説明する（図１乃至図５参照）。
【００８２】
ヘッドホーン装置１はヘッドバンド２とヘッドバンド２に着脱可能とされたスピーカーユニット３、３とによって構成されている（図１参照）。
【００８３】
ヘッドバンド２は使用者の頭部に装着され、略Ｕ字状の厚みの薄い形状に形成されている。ヘッドバンド２は厚み方向に屈曲されるように弾性変形可能とされ、厚み方向における一方の面が頭部に接するように装着される。
【００８４】
ヘッドバンド２は内面側に設けられた内面部４と外面側に設けられた外面部５とが厚み方向において結合された状態で外周部が保持部６によって保持されて成る。ヘッドバンド２は長手方向における両側の端部２ａ、２ａがそれぞれ、例えば、杓文字状に形成され、端部２ａ、２ａを除く部分である中間部２ｂが端部２ａ、２ａより幅の狭い形状に形成されている（図１及び図２参照）。
【００８５】
内面部４は、例えば、樹脂材料やゴム材料によって形成されている。内面部４には端部２ａ、２ａにそれぞれ厚み方向に貫通された取付孔４ａ、４ａが形成されている（図２及び図３参照）。
【００８６】
外面部５における端部２ａ、２ａに位置する部分はそれぞれ形状変化部７、７として設けられている（図１及び図２参照）。
【００８７】
形状変化部７は保持部６の一部によって外周側から保持され、両者によって積層構造体８が構成される。
【００８８】
形状変化部７は複数の層が積層されて成る（図４参照）。形状変化部７は、例えば、表面層９と中間層１０と裏面層１１の三層によって形成され、切り込み７ａ、７ａ、・・・を有している。切り込み７ａ、７ａ、・・・は、例えば、複数の縦線と複数の横線に形成され、両者が交差され全体として格子状に形成され、表面層９と中間層１０に形成されている。従って、裏面層１１には切り込み７ａが形成されていない。
【００８９】
表面層９と中間層１０と裏面層１１は樹脂、ゴム、エラストマー、シリコン等によって形成され、裏面層１１は弾性変形可能とされている。表面層９と中間層１０は弾性が裏面層１１の弾性より小さくされ、弾性を有さなくてもよい。表面層９と中間層１０及び裏面層１１とは異なる着色が付され、表面層９は、例えば、黒色等にされ、中間層１０と裏面層１１は、例えば、黄色や橙色等にされている。中間層１０と裏面層１１には、表面層９に対して色の相違が明確に認識される着色が行われることが望ましい。
【００９０】
形状変化部７には、後述するように、裏面層１１側から押圧力が付与されるが、形状変化部７に押圧力が付与されていない状態においては、切り込み７ａ、７ａ、・・・が閉塞されて切り込み７ａ、７ａ、・・・の存在が外部から認識されない状態とされている。尚、図４には、説明の便宜上切り込み７ａ、７ａ、・・・を点線で示している。
【００９１】
スピーカーユニット３は筐体１２に所要の各部が配置されて成る（図１及び図２参照）。
【００９２】
筐体１２はベース部１２ａと耳宛部１２ｂとが結合されて成り、耳宛部１２ｂが柔軟性の高い材料によって形成されている。従って、耳宛部１２ｂは変形可能とされ、ヘッドホーン装置１が用いられるときに使用者の耳１００に宛われる。
【００９３】
スピーカーユニット３には一部を除いて筐体１２の内部に配置された着脱機構１３が設けられている（図３参照）。
【００９４】
着脱機構１３は被取付軸１４と被取付軸１４の一端部に取り付けられた可動部材１５と被取付軸１４の他端部寄りの位置に支持された固定部材１６と被取付軸１４に支持されたバネ部材１７とを有している。バネ部材１７は可動部材１５を固定部材１６から離隔する方向への付勢力を付与する機能を有している。
【００９５】
被取付軸１４の他端部には他の部分より径が大きくされたストッパー部１４ａが設けられ、ストッパー部１４ａが筐体１２のベース部１２ａから外方へ突出されている。着脱機構１３はヘッドバンド２に取り付けられない非取付状態において、バネ部材１７の付勢力によって被取付軸１４が付勢されストッパー部１４ａ以外の部分が筐体１２の内部に配置されている。
【００９６】
着脱機構１３においては、例えば、可動部材１５が耳宛部１２ｂに固定され、固定部材１６がベース部１２ａに固定され、被取付軸１４と可動部材１５が一体になって被取付軸１４の軸方向へ移動可能とされている。
【００９７】
被取付軸１４と可動部材１５は固定部材１６に対して移動可能とされ、非取付状態において耳宛部１２ｂの外側から可動部材１５が押圧されると、被取付軸１４と可動部材１５が一体になって被取付軸１４の軸方向へ移動可能される。可動部材１５が押圧されて被取付軸１４と可動部材１５が移動されると、被取付軸１４がベース部１２ａから大きく突出されてヘッドバンド２に取り付けられる取付状態にされる（図５参照）。このとき可動部材１５の移動に伴って耳宛部１２ｂが変形されると共にバネ部材１７が圧縮される。従って、取付状態においては、バネ部材１７によって可動部材１５に対して付与される固定部材１６から離隔する方向への付勢力が非取付状態よりも大きくされる。
【００９８】
［ヘッドホーン装置における着脱動作］
以下に、ヘッドホーン装置１におけるスピーカーユニット３のヘッドバンド２に対する着脱動作について説明する（図６乃至図９参照）。
【００９９】
スピーカーユニット３がヘッドバンド２に取り付けられるときには、先ず、非取付状態にあるスピーカーユニット３のストッパー部１４ａがヘッドバンド２の内面部４に形成された取付孔４ａに宛われる（図６参照）。このときスピーカーユニット３は非取付状態であり形状変化部７に押圧力が付与されていないため、上記したように、形状変化部７の切り込み７ａ、７ａ、・・・は閉塞されており、切り込み７ａ、７ａ、・・・の存在が外部から認識されない。
【０１００】
次に、耳宛部１２ｂの外側から可動部材１５が押圧される。耳宛部１２ｂの外側から可動部材１５が押圧されると、被取付軸１４と可動部材１５が一体になって固定部材１６に対して被取付軸１４の軸方向へ移動され、ストッパー部１４ａによって取付孔４ａが押し広げられ、ストッパー部１４ａが取付孔４ａを挿通される。
【０１０１】
ストッパー部１４ａが取付孔４ａを挿通されると、押し広げられた取付孔４ａが元の状態に戻ると共にストッパー部１４ａが内面部４と外面部５の間に位置される（図７参照）。
【０１０２】
ストッパー部１４ａが内面部４と外面部５の間に位置されて可動部材１５に対する耳宛部１２ｂの外側からの押圧が解除されると、ストッパー部１４ａが取付孔４ａの開口縁に係合されてスピーカーユニット３がヘッドバンド２に取り付けられる。このとき可動部材１５の移動に伴って耳宛部１２ｂが変形されており、バネ部材１７が圧縮されて固定部材１６に対して可動部材１５が離隔する方向への付勢力が大きくされている。
【０１０３】
上記のようにヘッドバンド２にスピーカーユニット３が取り付けられて両者が結合された状態においては、ストッパー部１４ａによって形状変化部７が裏面層１１側から押圧されている。従って、裏面層１１が弾性変形されて形状変化部７が表面層９側へ突出された状態とされている（図７及び図８参照）。
【０１０４】
このように裏面層１１が弾性変形されて形状変化部７が表面層９側へ突出された状態とされているため、形状変化部７に形成された切り込み７ａ、７ａ、・・・が開放され（図９参照）、切り込み７ａ、７ａ、・・・が視認可能とされると共に切り込み７ａ、７ａ、・・・を介して形状変化部７の内部が外部から視認可能とされる。即ち、使用者において、切り込み７ａ、７ａ、・・・が模様として視認可能とされると共に中間層１０と裏面層１１の着色が外部から視認可能とされ、ヘッドバンド２にスピーカーユニット３が取り付けられたことを外部から視覚的に認識することができる。
【０１０５】
上記のように、ヘッドバンド２にスピーカーユニット３が取り付けられることにより、使用者において、切り込み７ａ、７ａ、・・・が模様として視認可能とされると共に中間層１０と裏面層１１の着色が外部から視認可能とされ、ヘッドバンド２にスピーカーユニット３が取り付けられたことを外部から視覚的に認識することができ、使い勝手の向上を図ることができる。
【０１０６】
ヘッドバンド２からのスピーカーユニット３の取り外しは、スピーカーユニット３を被取付軸１４の軸方向においてヘッドバンド２から離隔する方向へ引っ張ることにより行うことができる。スピーカーユニット３をヘッドバンド２に対して引っ張ると、ストッパー部１４ａによって取付孔４ａが押し広げられ、ストッパー部１４ａが取付孔４ａを挿通されてヘッドバンド２からスピーカーユニット３が引き離されてスピーカーユニット３が取り外される（図３参照）。
【０１０７】
ストッパー部１４ａが取付孔４ａを挿通されると、押し広げられていた取付孔４ａが元の状態に戻る。また、バネ部材１７による付勢力によって被取付軸１４と可動部材１５が一体になって固定部材１６に対して可動部材１５が離隔する方向へ移動され、変形されていた耳宛部１２ｂが元の状態に戻り、スピーカーユニット３が非取付状態に戻る。
【０１０８】
スピーカーユニット３が非取付状態にされたときには、裏面層１１が弾性復帰されて形状変化部７の切り込み７ａ、７ａ、・・・が閉塞され、再び、切り込み７ａ、７ａ、・・・の存在が外部から認識されない状態にされる（図２参照）。
【０１０９】
また、ヘッドバンド２に形状変化部７を外周側から保持する保持部６が設けられているため、形状変化部７の外周部の変位が規制され、形状変化部７を適正な状態で変化させることができる。
【０１１０】
さらに、スピーカーユニット３、３がヘッドバンド２に着脱可能とされているため、スピーカーユニット３、３のヘッドバンド２に対する着脱状態に応じて形状変化部７が変化され、スピーカーユニット３、３のヘッドバンド２に対する着脱状態を形状変化部７の状態によって確実に認識することができる。
【０１１１】
さらにまた、形状変化部７が弾性変形可能とされているため、形状変化部７に対する押圧が解除されたときに形状変化部７を元の状態に戻すことができる。
【０１１２】
加えて、開放された切り込み７ａ、７ａ、・・・から裏面層１１の一部が視認可能とされているため、形状変化部７の変化を容易に認識することができる。
【０１１３】
また、上記したように、ヘッドホーン装置１にあっては、形状変化部７における表面層９と表面層９以外の他の層、即ち、中間層１０及び裏面層１１とに異なる着色が付されている。
【０１１４】
従って、形状変化部７における内側の層である中間層１０と裏面層１１の着色を外部から明確に視認することができ、ヘッドバンド２にスピーカーユニット３が取り付けられたことを明確に認識することができる。
【０１１５】
また、形状変化部７における表面層９と裏面層１１の間に中間層１０が設けられているため、切り込み７ａ、７ａ、・・・が開放されたときの形状変化部７の形状の変化が大きく、かつ、表面層９と中間層１０及び裏面層１１との着色の変化も明確になり、形状変化部７に関する外部からの視認性の向上を図ることができる。
【０１１６】
さらに、形状変化部７の切り込み７ａ、７ａ、・・・が格子状に形成されているため、ヘッドバンド２にスピーカーユニット３が取り付けられたときの切り込み７ａ、７ａ、・・・の開放量が大きく、形状変化部７に関する外部からの一層の視認性の向上を図ることができる。また、格子状は形成し易い形状であるため、切り込み７ａ、７ａ、・・・を格子状に形成することにより、形状変化部７の形成が容易でありヘッドホーン装置１の製造コストの低減を図ることができる。
【０１１７】
さらにまた、表面層９と中間層１０は弾性が裏面層１１の弾性より小さくされているため、形状変化部７に裏面層１１側から押圧力が作用されたときに表面層９と中間層１０が弾性変形され難く、切り込み７ａ、７ａ、・・・の開放量が大きくなり、形状変化部７の内側の構造が見え易く外部からの視認性の向上を図ることができる。
【０１１８】
尚、上記には、形状変化部７が表面層９と中間層１０と裏面層１１の三層構造に形成された例を示したが、形状変化部７は表面層９と裏面層１１の２層構造に形成されていてもよく、また、表面層９と裏面層１１の間に二つ以上の層を有する四層構造以上の層構造に形成されていてもよい。但し、この場合には、裏面層１１以外の層には切り込みが形成されている必要がある。
【０１１９】
［積層構造体の別の例］
上記には、積層構造体７がヘッドホーン装置１に設けられた例を示したが、積層構造体はヘッドホーン装置に設けられることに限られることはなく、以下に示すように、他の電子機器や構造体にも設けることが可能である。
【０１２０】
先ず、積層構造体がイヤホーンケース等のケース体に設けられた例について説明する（図１０乃至図１３参照）。
【０１２１】
ケース体１Ａは保持部６Ａと保持部６Ａに保持された形状変化部７、７とを有し、保持部６Ａと形状変化部７、７によって積層構造体８Ａが構成されている。
【０１２２】
保持部６Ａは、環状に形成され、保持部６Ａには、例えば、ケース体１Ａの内部の収納空間を開閉するためのファスナー６ａが設けられている。
【０１２３】
形状変化部７、７は対向した状態で設けられ、保持部６Ａの幅方向における両端部にそれぞれ外周部が取り付けられて保持されている。
【０１２４】
ケース体１Ａの内部にイヤホーン等の収納物が収納されていない状態においては、形状変化部７、７は略平面状にされ切り込み７ａ、７ａ、・・・が閉塞されており、切り込み７ａ、７ａ、・・・の存在が外部から認識されない（図１０及び図１１参照）。
【０１２５】
ケース体１Ａの内部にイヤホーン等の収納物が収納されると、収納物によって形状変化部７、７が互いに離隔するように押し広げられ、裏面層１１、１１がそれぞれ弾性変形されて形状変化部７、７が表面層９、９側へ突出された状態とされる（図１２及び図１３参照）。
【０１２６】
従って、形状変化部７、７に形成された切り込み７ａ、７ａ、・・・が開放され、使用者において、切り込み７ａ、７ａ、・・・が模様として視認可能とされると共に中間層１０と裏面層１１の着色が外部から視認可能とされ、ケース体１Ａの内部に収納物が収納されたことを外部から視覚的に認識することができる。
【０１２７】
このようにケース体１Ａの内部に収納物が収納されることにより、使用者において、切り込み７ａ、７ａ、・・・が模様として視認可能とされると共に中間層１０と裏面層１１の着色が外部から視認可能とされ、ケース体１Ａの内部に収納物が収納されたことを外部から視覚的に認識することができ、使い勝手の向上を図ることができる。
【０１２８】
ケース体１Ａの内部から収納物が取り出されると、形状変化部７、７が互いに近付くように変化され、裏面層１１、１１がそれぞれ弾性復帰されて形状変化部７、７が元の状態に戻る（図１０及び図１１参照）。
【０１２９】
従って、形状変化部７の切り込み７ａ、７ａ、・・・が閉塞され、再び、切り込み７ａ、７ａ、・・・の存在が外部から認識されない状態にされる。
【０１３０】
次に、積層構造体がスピーカーや音源等の音響機器に設けられた例について説明する（図１４及び図１５参照）。
【０１３１】
音響機器１Ｂは保持部６Ｂと保持部６Ｂに保持された形状変化部７とを有し、保持部６Ｂと形状変化部７によって積層構造体８Ｂが構成されている。
【０１３２】
保持部６Ｂは、例えば、前方に開口された箱状に形成され、筐体として設けられている。
【０１３３】
形状変化部７は保持部６Ｂの前端部に外周部が取り付けられて保持されている。
【０１３４】
音響機器１Ｂにおいて音声が出力されていない状態においては、形状変化部７は平面状にされ切り込み７ａ、７ａ、・・・が閉塞されており、切り込み７ａ、７ａ、・・・の存在が外部から認識されない（図１４参照）。
【０１３５】
音響機器１Ｂにおいて音声が出力されると、音圧によって形状変化部７が前方へ押圧され、裏面層１１が弾性変形されて形状変化部７が表面層９側へ突出された状態とされる（図１５参照）。
【０１３６】
従って、形状変化部７に形成された切り込み７ａ、７ａ、・・・が開放され、切り込み７ａ、７ａ、・・・が模様として視認可能とされると共に中間層１０と裏面層１１の着色が外部から視認可能とされ、音響機器１Ｂにおいて音声の出力が行われていることを外部から視覚的に認識することができる。
【０１３７】
尚、音響機器１Ｂにあっては、音圧の大きさに応じて裏面層１１の変形量が変化され、形状変化部７に形成された切り込み７ａ、７ａ、・・・の開放状態も変化されるため、切り込み７ａ、７ａ、・・・及び中間層１０と裏面層１１の着色の視認状態も変化される。
【０１３８】
上記のように音響機器１Ｂにおいて音声が出力されることにより、使用者において、切り込み７ａ、７ａ、・・・が模様として視認可能とされると共に中間層１０と裏面層１１の着色が外部から視認可能とされ、音響機器１Ｂにおいて音声が出力されていることを外部から視覚的に認識することができ、使い勝手の向上を図ることができる。
【０１３９】
音響機器１Ｂにおいて音声の出力が停止されると、形状変化部７に対する音圧による押圧が解除され、裏面層１１が弾性復帰されて形状変化部７が元の状態に戻る（図１４参照）。
【０１４０】
従って、形状変化部７の切り込み７ａ、７ａ、・・・が閉塞され、再び、切り込み７ａ、７ａ、・・・の存在が外部から認識されない状態にされる。
【０１４１】
［積層構造体の切り込みの例］
上記には、切り込みが複数の縦線と複数の横線に形成され、両者が交差され全体として格子状に形成された例を示したが、切り込みの形状は格子状に限られることはなく、以下のような各種の形状に形成されていてもよい（図１６乃至図２０参照）。
【０１４２】
尚、以下にはヘッドホーン装置のヘッドバンドに形成された切り込みを例として示す。
【０１４３】
切り込み７ｂ、７ｂ、・・・は、例えば、複数の斜め線に形成され、これらが直交する向きで交差され全体として格子状に形成されている（図１６参照）。
【０１４４】
切り込み７ｃ、７ｃ、・・・は、例えば、切り込み７ａ、７ａ、・・・よりも多数の縦線と多数の横線に形成され、両者が直交する向きで交差され全体として格子状に形成されている（図１７参照）。
【０１４５】
切り込み７ｄ、７ｄ、・・・は、例えば、複数の縦線と複数の横線と複数の斜め線に形成され、これらが交差され全体として網目状に形成されている（図１８参照）。
【０１４６】
切り込み７ｅ、７ｅ、・・・は、例えば、複数の縦線と複数の横線と複数の斜め線に形成され、これらが結合され全体としてハニカム状に形成されている（図１９参照）。
【０１４７】
切り込み７ｆ、７ｆ、・・・は、例えば、複数の波線に形成され、これらが縦方向、横方向又は斜め方向に並んだ形状に形成されている（図２０参照）。
【０１４８】
尚、上記した切り込み７ａ、７ｂ、７ｃ、７ｄ、７ｅ、７ｆはそれぞれ一例であり、例えば、これらの切り込み７ａ、７ｂ、７ｃ、７ｄ、７ｅ、７ｆの任意の組み合わせであってもよく、また、切り込み７ａ、７ｂ、７ｃ、７ｄ、７ｅ、７ｆとは別の形状であってもよく、さらには、これらの切り込み７ａ、７ｂ、７ｃ、７ｄ、７ｅ、７ｆとは別の形状と切り込み７ａ、７ｂ、７ｃ、７ｄ、７ｅ、７ｆとの組み合わせであってもよい。
【０１４９】
［その他］
上記には、保持部６、６Ａ、６Ｂが枠状又は箱状の構造体として設けられた例を示したが、形状変化部７の表面層９と裏面層１１を含む各層が、例えば、接着等によって接合され、接着剤等が保持部として構成されるようにしてもよい。
【０１５０】
［本技術］
本技術は、以下のような構成にすることもできる。
【０１５１】
（１）切り込みを有する表面層と前記切り込みを有していない裏面層とを含む複数の層が積層されて形成された形状変化部を含むヘッドバンドと、前記形状変化部に前記裏面層側から取り付けられるスピーカーユニットとを備え、前記形状変化部が前記スピーカーユニットに押圧されたときに前記形状変化部が前記表面層側へ突出されて前記切り込みが開放されるようにしたヘッドホーン装置。
【０１５２】
（２）前記ヘッドバンドに前記形状変化部を外周側から保持する保持部が設けられた前記（１）に記載のヘッドホーン装置。
【０１５３】
（３）前記スピーカーユニットが前記ヘッドバンドに着脱可能とされた前記（１）又は前記（２）に記載のヘッドホーン装置。
【０１５４】
（４）前記形状変化部が弾性変形可能とされた前記（１）から前記（３）の何れかに記載のヘッドホーン装置。
【０１５５】
（５）開放された前記切り込みから前記裏面層の一部が視認可能とされた前記（１）から前記（４）の何れかに記載のヘッドホーン装置。
【０１５６】
（６）前記形状変化部における前記表面層と前記表面層以外の他の層とに異なる着色が付された前記（１）から前記（５）の何れかに記載のヘッドホーン装置。
【０１５７】
（７）前記形状変化部に、前記表面層と前記裏面層の間に中間層が設けられた前記（６）に記載のヘッドホーン装置。
【０１５８】
（８）前記切り込みが格子状に形成された前記（１）から前記（７）の何れかに記載のヘッドホーン装置。
【０１５９】
（９）前記表面層の弾性が前記裏面層の弾性より小さくされた前記（１）から前記（８）の何れかに記載のヘッドホーン装置。
【０１６０】
（１０）切り込みを有する表面層と前記切り込みを有していない裏面層とを含む複数の層が積層されて形成された形状変化部を備え、前記形状変化部が押圧されたときに前記形状変化部が前記表面層側へ突出されて前記切り込みが開放されるようにした積層構造体。
【０１６１】
（１１）前記形状変化部を外周側から保持する保持部が設けられた前記（１０）に記載の積層構造体。
【０１６２】
（１２）前記形状変化部が弾性変形可能とされた前記（１０）又は前記（１１）に記載の積層構造体。
【０１６３】
（１３）開放された前記切り込みから前記裏面層の一部が視認可能とされた前記（１０）から前記（１２）の何れかに記載の積層構造体。
【０１６４】
（１４）前記形状変化部における前記表面層と前記表面層以外の他の層とに異なる着色が付された前記（１３）に記載のヘッドホーン装置。
【０１６５】
（１５）前記形状変化部に、前記表面層と前記裏面層の間に中間層が設けられた前記（１０）から前記（１４）の何れかに記載のヘッドホーン装置。
【０１６６】
（１６）前記切り込みが格子状に形成された前記（１０）から前記（１５）の何れかに記載のヘッドホーン装置。
【０１６７】
（１７）前記表面層の弾性が前記裏面層の弾性より小さくされた前記（１０）から前記（１６）の何れかに記載のヘッドホーン装置。
【０１６８】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１６９】
【図１】図２乃至図９と共に本技術ヘッドホーン装置の実施の形態を示すものであり、本図は、ヘッドホーン装置の斜視図である。
【図２】切り込みが閉塞されている状態の形状変化部を示す側面図である。
【図３】スピーカーユニットがヘッドバンドから取り外されている状態を示す正面図である。
【図４】切り込みが閉塞されている状態の形状変化部を示す拡大断面図である。
【図５】非取付状態にあるスピーカーユニットを示す側面図である。
【図６】スピーカーユニットがヘッドバンドに取り付けられる直前の状態を示す側面図である。
【図７】スピーカーユニットがヘッドバンドに取り付けられた状態を示す側面図である。
【図８】裏面層が押圧されて切り込みが開放されている状態の形状変化部を示す拡大断面図である。
【図９】裏面層が押圧されて切り込みが開放されている状態を示す形状変化部の側面図である。
【図１０】図１１乃至図１３と共に本技術積層構造体がケース体に設けられた例を示すものであり、本図は、収納物が収納されていないケース体の状態を示す側面図である。
【図１１】収納物が収納されておらず切り込みが閉塞されているケース体の状態を示す側面図である。
【図１２】収納物が収納されたケース体の状態を示す側面図である。
【図１３】収納物が収納され切り込みが開放されているケース体の状態を示す側面図である。
【図１４】図１５と共に本技術積層構造体が音響装置に設けられた例を示すものであり、本図は、音声の出力が行われておらず切り込みが閉塞されている音響装置の状態を示す側面図である。
【図１５】音声の出力が行われ切り込みが開放されている音響装置の状態を示す側面図である。
【図１６】図１７乃至図２０と共に切り込みの形状の例を示すものであり、本図は、複数の斜め線が交差され全体として格子状に形成された例を示す側面図である。
【図１７】多数の縦線と多数の横線とが交差され全体として格子状に形成された例を示す側面図である。
【図１８】複数の縦線と複数の横線と複数の斜め線とが交差され全体として網目状に形成された例を示す側面図である。
【図１９】複数の縦線と複数の横線と複数の斜め線とによって全体としてハニカム状に形成された例を示す側面図である。
【図２０】複数の波線が並んで形成された例を示す側面図である。
【符号の説明】
【０１７０】
１…ヘッドホーン装置、２…ヘッドバンド、３…スピーカーユニット、６…保持部、７…形状変化部、７ａ…切り込み、８…積層構造体、９…表面層、１０…中間層、１１…裏面層、６Ａ…保持部、８Ａ…積層構造体、６Ｂ…保持部、８Ｂ…積層構造体、７ｂ…形状変化部、７ｃ…形状変化部、７ｄ…形状変化部、７ｅ…形状変化部、７ｆ…形状変化部
【図１】
2013247572.tif 000003
【図２】
2013247572.tif 000004
【図３】
2013247572.tif 000005
【図４】
2013247572.tif 000006
【図５】
2013247572.tif 000007
【図６】
2013247572.tif 000008
【図７】
2013247572.tif 000009
【図８】
2013247572.tif 000010
【図９】
2013247572.tif 000011
【図１０】
2013247572.tif 000012
【図１１】
2013247572.tif 000013
【図１２】
2013247572.tif 000014
【図１３】
2013247572.tif 000015
【図１４】
2013247572.tif 000016
【図１５】
2013247572.tif 000017
【図１６】
2013247572.tif 000018
【図１７】
2013247572.tif 000019
【図１８】
2013247572.tif 000020
【図１９】
2013247572.tif 000021
【図２０】
2013247572.tif 000022